(57)【要約】【課題】バーコード情報と拡張ディスプレイ認識データの整合方法の提供。【解決手段】バーコード情報を入力し並びに第１保存装置に暫時保存する。第２保存装置中に予め保存されバーコード情報が包含する複数のコードの関係データを画定するバーコード規則と検査コードを読み取る。更にバーコード情報が包含する複数のコードをバーコード規則によりそれぞれ第１保存装置中の対応する保存空間に保存する。続いてバーコード情報の特定コードが検査コードに符合するかを判断し、符合する時、ＥＤＩＤ記録器に保存されたＥＤＩＤを読み取り、並びにＥＤＩＤとバーコード情報の複数のコードを整合させ、新ＥＤＩＤを生成する。最後に新ＥＤＩＤをディスプレイに記録する。【選択図】図４
2008304882.tif 000002
【特許請求の範囲】
【請求項１】
ＥＤＩＤ記録器においてバーコード情報とＥＤＩＤを整合させ、該ＥＤＩＤ記録器は第１保存装置と第２保存装置を具え、該第１保存装置は複数の保存空間を具えて対応するコードを保存する、バーコード情報と拡張ディスプレイ認識データの整合方法において、
（Ａ）バーコード情報を入力し並びに該バーコード情報を該ＥＤＩＤ記録器の該第１保存装置に暫時保存するステップ、
（Ｂ）該第２保存装置中より予め保存されて該バーコード情報が包含する複数のコードの関係データを画定するバーコード規則と検査コードを読み取るステップ、
（Ｃ）該バーコード情報が包含する複数のコードを該バーコード規則によりそれぞれ該第１保存装置中の対応する保存空間に保存するステップ、
（Ｄ）該バーコード情報の特定コードが該検査コードに符合するかを判断するステップ、
（Ｅ）該バーコード情報の特定コードが該検査コードに符合する時、ＥＤＩＤ記録器に予め保存されたＥＤＩＤを読み取り、並びに該ＥＤＩＤをバーコード情報の複数のコードと整合させ、新ＥＤＩＤを生成するステップ、
（Ｆ）該新ＥＤＩＤをディスプレイに記録するステップ、
を包含することを特徴とする、バーコード情報と拡張ディスプレイ認識データの整合方法。
【請求項２】
請求項１記載のバーコード情報と拡張ディスプレイ認識データの整合方法において、更に、
（Ｇ）記録完成時に、指示メッセージを生成するステップ、
を包含したことを特徴とする、バーコード情報と拡張ディスプレイ認識データの整合方法。
【請求項３】
請求項１記載のバーコード情報と拡張ディスプレイ認識データの整合方法において、（Ｄ）のステップで該バーコード情報の特定コードが該検査コードと符合しないと判定した時、アラームメッセージを生成することを特徴とする、バーコード情報と拡張ディスプレイ認識データの整合方法。
【請求項４】
請求項１記載のバーコード情報と拡張ディスプレイ認識データの整合方法において、（Ｂ）のステップ中、該バーコード規則はバーコード情報が包含するコードの種類、コードのビット数、及びコードの位置を画定することを特徴とする、バーコード情報と拡張ディスプレイ認識データの整合方法。
【請求項５】
請求項４記載のバーコード情報と拡張ディスプレイ認識データの整合方法において、該バーコード情報は、該検査コードと符合するかを検証するのに用いられるタイトルコードを包含し、該タイトルコードは該バーコード規則によりそのビット数が設定され、並びに指定された保存空間に該タイトルコードの内容が保存されることを特徴とする、バーコード情報と拡張ディスプレイ認識データの整合方法。
【請求項６】
請求項４記載のバーコード情報と拡張ディスプレイ認識データの整合方法において、該バーコード情報は、該検査コードと符合するかを検証するのに用いられるヘッドコードを包含し、該ヘッドコードは該バーコード規則によりそのビット数が設定され、並びに指定された保存空間に該ヘッドコードの内容が保存されることを特徴とする、バーコード情報と拡張ディスプレイ認識データの整合方法。
【請求項７】
請求項５記載のバーコード情報と拡張ディスプレイ認識データの整合方法において、該バーコード情報は、該検査コードと符合するかを検証するのに用いられるヘッドコードを包含し、該ヘッドコードは選択的に該タイトルコードと整合されて個別に検査コードと符合するかが検証され、該ヘッドコードは該バーコード規則によりそのビット数が設定され、並びに指定された保存空間に該ヘッドコードの内容が保存されることを特徴とする、バーコード情報と拡張ディスプレイ認識データの整合方法。
【請求項８】
請求項４記載のバーコード情報と拡張ディスプレイ認識データの整合方法において、該バーコード情報は、製品の製造シリアルナンバーを表示するシリアルナンバーコードを包含し、該シリアルナンバーコードは該バーコード規則によりそのビット数が設定され、並びにシリアルナンバーコードの内容が指定された保存空間に保存されることを特徴とする、バーコード情報と拡張ディスプレイ認識データの整合方法。
【請求項９】
請求項４記載のバーコード情報と拡張ディスプレイ認識データの整合方法において、該バーコード情報は、製品の製造シリアルナンバーを表示する固定シリアルナンバーコードを包含し、該固定シリアルナンバーコードは該バーコード規則によりそのビット数が設定され、並びに固定シリアルナンバーコードの内容が指定された保存空間に保存されることを特徴とする、バーコード情報と拡張ディスプレイ認識データの整合方法。
【請求項１０】
請求項８記載のバーコード情報と拡張ディスプレイ認識データの整合方法において、該バーコード情報は、固定シリアルナンバーコードを包含し、該固定シリアルナンバーコードは該シリアルナンバーコードと組合せ後に製品の製造シリアルナンバーを表示し、該固定シリアルナンバーコードは該バーコード規則によりそのビット数が設定され、並びに該固定シリアルナンバーコードの内容が指定された保存空間に保存されることを特徴とする、バーコード情報と拡張ディスプレイ認識データの整合方法。
【請求項１１】
請求項４記載のバーコード情報と拡張ディスプレイ認識データの整合方法において、該バーコード情報は、製品の製造日を表示するための日付コードを包含し、該日付コードは該バーコード規則によりそのビット数が設定され、並びに該日付コードの内容が指定された保存空間に保存されることを特徴とする、バーコード情報と拡張ディスプレイ認識データの整合方法。
【請求項１２】
請求項４記載のバーコード情報と拡張ディスプレイ認識データの整合方法において、該バーコード情報は、製品の製造週数を表示するための週コードを包含し、該週コードは該バーコード規則によりそのビット数が設定され、並びに該週コードの内容が指定された保存空間に保存されることを特徴とする、バーコード情報と拡張ディスプレイ認識データの整合方法。
【請求項１３】
請求項４記載のバーコード情報と拡張ディスプレイ認識データの整合方法において、該バーコード情報は、製品の製造月を表示するための月コードを包含し、該月コードは該バーコード規則によりそのビット数が設定され、並びに該月コードの内容が指定された保存空間に保存されることを特徴とする、バーコード情報と拡張ディスプレイ認識データの整合方法。
【請求項１４】
請求項４記載のバーコード情報と拡張ディスプレイ認識データの整合方法において、該バーコード情報は、製品の製造年を表示するための年コードを包含し、該年コードは該バーコード規則によりそのビット数が設定され、並びに該年コードの内容が指定された保存空間に保存されることを特徴とする、バーコード情報と拡張ディスプレイ認識データの整合方法。
【請求項１５】
請求項４記載のバーコード情報と拡張ディスプレイ認識データの整合方法において、該バーコード情報は、特定状況処理用のガンマコードを包含し、該ガンマコードは該バーコード規則によりそのビット数が設定され、並びに該ガンマコードの内容が指定された保存空間に保存されることを特徴とする、バーコード情報と拡張ディスプレイ認識データの整合方法。
【請求項１６】
請求項４記載のバーコード情報と拡張ディスプレイ認識データの整合方法において、該バーコード情報は、無効コードを包含し、該無効コードはバイト数の制限を受けず、直接それが省略されていかなる処理も行われないことを表示することを特徴とする、バーコード情報と拡張ディスプレイ認識データの整合方法。
【請求項１７】
請求項４記載のバーコード情報と拡張ディスプレイ認識データの整合方法において、該第１保存装置中に前述の各コードを保存した後に、０ＡH 、０ＤH を充填するか或いはブランクビットによりデータ終了を表示することを特徴とする、バーコード情報と拡張ディスプレイ認識データの整合方法。
【請求項１８】
請求項３記載のバーコード情報と拡張ディスプレイ認識データの整合方法において、（Ｄ）のステップの特定コードは該タイトルコード或いは該ヘッドコードであることを特徴とする、バーコード情報と拡張ディスプレイ認識データの整合方法。
【請求項１９】
請求項１記載のバーコード情報と拡張ディスプレイ認識データの整合方法において、該第１保存装置がＲＡＭとされたことを特徴とする、バーコード情報と拡張ディスプレイ認識データの整合方法。
【請求項２０】
請求項１記載のバーコード情報と拡張ディスプレイ認識データの整合方法において、該第２保存装置がＲＯＭとされたことを特徴とする、バーコード情報と拡張ディスプレイ認識データの整合方法。
【請求項２１】
請求項１記載のバーコード情報と拡張ディスプレイ認識データの整合方法において、該ＥＤＩＤ記録器が入力装置に接続されて該バーコード情報が入力されることを特徴とする、バーコード情報と拡張ディスプレイ認識データの整合方法。
【発明の詳細な説明】
【技術分野】
【０００１】
本発明は一種のデータ整合方法に係り、特に、バーコード情報と拡張ディスプレイ認識データの整合に適用される方法に関する。
【背景技術】
【０００２】
コンピュータテクノロジーの普及に伴い、プラグアンドプレイの機能はコンピュータ周辺機器に必要とされる機能となっている。ディスプレイでは、ＶＥＳＡ（Video Electronics Standard Association  ）が重大なディスプレイ及びディスプレインタフェース標準の推進と開発を請け負い、その互換性を確保している。拡張ディスプレイ認識データ（ＥＤＩＤ）はＶＥＳＡがディスプレイのために制定した標準データ形式である。ＥＤＩＤはディスプレイの基本データ、例えば販売者情報、最大画像サイズ、色彩特徴、使用周波数制限等を包含する。該ＥＤＩＤシステムはディスプレイ中に記録されてコンピュータとコミュニケートするのに用いられ、プラグアンドプレイの機能を達成する。
【０００３】
過去十年ほど、図１に示されるように、ディスプレイメーカーは、複数の異なる型番のディスプレイに対応するＥＤＩＤを直接フレキシブルディスク１１１、ハードディスク１１２、或いはＵＳＢディスク１１３等の保存メディアに保存し並びにコンピュータ１１０と接続してコンピュータ構造１００を構成し、ＥＤＩＤ記録作業の主要構造とし、これによりインタフェースアダプタ１２０を通してディスプレイ１３０のＶＧＡビデオインタフェース１３１、ＤＶＩビデオインタフェース１３２、或いはＨＤＭＩビデオインタフェース１３３に接続してＥＤＩＤをディスプレイ１３０の電気的消去不能のメモリ中に書き込む。
【０００４】
しかし、型番Ａ−４７ディスプレイに対しては、ことなるバッチのＡ−４７ディスプレイは製造日の前後の違いにより、そのバーコード情報の日付及びシリアルナンバーのいずれもが異なる。型番Ａ−４７ディスプレイのＡバッチに記録作業を行う必要がある時、製造メーカーの作業員はコンピュータ１１０のフレキシブルディスク１１１内のＡバッチに対応するＥＤＩＤを読み取り、ＶＧＡビデオインタフェース１３１を通してＥＤＩＤをディスプレイに書き込む必要がある。型番Ａ−４７ディスプレイのＢバッチに対して記録作業を行う必要がある時、コンピュータ１１０のフレキシブルディスク１１１内のＢバッチに対応するＥＤＩＤを読み取り、ＶＧＡビデオインタフェース１３１を通してＥＤＩＤをディスプレイに書き込む必要がある。
【発明の開示】
【発明が解決しようとする課題】
【０００５】
しかし、過去には、ＥＤＩＤの読み取り、記録、及び編集が前述の体積が膨大なコンピュータ構造により実行され、それは装備コスト及び維持費用方面での問題を形成し得るのみならず、保存メディア方面ではＥＤＩＤを即時更新不能で、さらにデータの流れる方向を掌握しにくい等の厳重な管理問題を有し得る。また、異なる型番のディスプレイ或いは異なるバッチ番号のディスプレイに対して、メーカーの作業員は異なるバーコード情報及びＥＤＩＤを準備する必要があり、作業の複雑度が増すだけでなく、不当なＥＤＩＤのディスプレイへの記録を防止しにくくなる。
【０００６】
ゆえに、本発明は上述の問題を解決する一種のバーコード情報と拡張ディスプレイ認識データの整合方法を提供することを目的とする。
【課題を解決するための手段】
【０００７】
請求項１の発明は、ＥＤＩＤ記録器においてバーコード情報とＥＤＩＤを整合させ、該ＥＤＩＤ記録器は第１保存装置と第２保存装置を具え、該第１保存装置は複数の保存空間を具えて対応するコードを保存する、バーコード情報と拡張ディスプレイ認識データの整合方法において、
（Ａ）バーコード情報を入力し並びに該バーコード情報を該ＥＤＩＤ記録器の該第１保存装置に暫時保存するステップ、
（Ｂ）該第２保存装置中より予め保存されて該バーコード情報が包含する複数のコードの関係データを画定するバーコード規則と検査コードを読み取るステップ、
（Ｃ）該バーコード情報が包含する複数のコードを該バーコード規則によりそれぞれ該第１保存装置中の対応する保存空間に保存するステップ、
（Ｄ）該バーコード情報の特定コードが該検査コードに符合するかを判断するステップ、
（Ｅ）該バーコード情報の特定コードが該検査コードに符合する時、ＥＤＩＤ記録器に予め保存されたＥＤＩＤを読み取り、並びに該ＥＤＩＤをバーコード情報の複数のコードと整合させ、新ＥＤＩＤを生成するステップ、
（Ｆ）該新ＥＤＩＤをディスプレイに記録するステップ、
を包含することを特徴とする、バーコード情報と拡張ディスプレイ認識データの整合方法としている。
請求項２の発明は、請求項１記載のバーコード情報と拡張ディスプレイ認識データの整合方法において、更に、
（Ｇ）記録完成時に、指示メッセージを生成するステップ、
を包含したことを特徴とする、バーコード情報と拡張ディスプレイ認識データの整合方法としている。
請求項３の発明は、請求項１記載のバーコード情報と拡張ディスプレイ認識データの整合方法において、（Ｄ）のステップで該バーコード情報の特定コードが該検査コードと符合しないと判定した時、アラームメッセージを生成することを特徴とする、バーコード情報と拡張ディスプレイ認識データの整合方法としている。
請求項４の発明は、請求項１記載のバーコード情報と拡張ディスプレイ認識データの整合方法において、（Ｂ）のステップ中、該バーコード規則はバーコード情報が包含するコードの種類、コードのビット数、及びコードの位置を画定することを特徴とする、バーコード情報と拡張ディスプレイ認識データの整合方法としている。
請求項５の発明は、請求項４記載のバーコード情報と拡張ディスプレイ認識データの整合方法において、該バーコード情報は、該検査コードと符合するかを検証するのに用いられるタイトルコードを包含し、該タイトルコードは該バーコード規則によりそのビット数が設定され、並びに指定された保存空間に該タイトルコードの内容が保存されることを特徴とする、バーコード情報と拡張ディスプレイ認識データの整合方法としている。
請求項６の発明は、請求項４記載のバーコード情報と拡張ディスプレイ認識データの整合方法において、該バーコード情報は、該検査コードと符合するかを検証するのに用いられるヘッドコードを包含し、該ヘッドコードは該バーコード規則によりそのビット数が設定され、並びに指定された保存空間に該ヘッドコードの内容が保存されることを特徴とする、バーコード情報と拡張ディスプレイ認識データの整合方法としている。
請求項７の発明は、請求項５記載のバーコード情報と拡張ディスプレイ認識データの整合方法において、該バーコード情報は、該検査コードと符合するかを検証するのに用いられるヘッドコードを包含し、該ヘッドコードは選択的に該タイトルコードと整合されて個別に検査コードと符合するかが検証され、該ヘッドコードは該バーコード規則によりそのビット数が設定され、並びに指定された保存空間に該ヘッドコードの内容が保存されることを特徴とする、バーコード情報と拡張ディスプレイ認識データの整合方法としている。
請求項８の発明は、請求項４記載のバーコード情報と拡張ディスプレイ認識データの整合方法において、該バーコード情報は、製品の製造シリアルナンバーを表示するシリアルナンバーコードを包含し、該シリアルナンバーコードは該バーコード規則によりそのビット数が設定され、並びにシリアルナンバーコードの内容が指定された保存空間に保存されることを特徴とする、バーコード情報と拡張ディスプレイ認識データの整合方法としている。
請求項９の発明は、請求項４記載のバーコード情報と拡張ディスプレイ認識データの整合方法において、該バーコード情報は、製品の製造シリアルナンバーを表示する固定シリアルナンバーコードを包含し、該固定シリアルナンバーコードは該バーコード規則によりそのビット数が設定され、並びに固定シリアルナンバーコードの内容が指定された保存空間に保存されることを特徴とする、バーコード情報と拡張ディスプレイ認識データの整合方法としている。
請求項１０の発明は、請求項８記載のバーコード情報と拡張ディスプレイ認識データの整合方法において、該バーコード情報は、固定シリアルナンバーコードを包含し、該固定シリアルナンバーコードは該シリアルナンバーコードと組合せ後に製品の製造シリアルナンバーを表示し、該固定シリアルナンバーコードは該バーコード規則によりそのビット数が設定され、並びに該固定シリアルナンバーコードの内容が指定された保存空間に保存されることを特徴とする、バーコード情報と拡張ディスプレイ認識データの整合方法としている。
請求項１１の発明は、請求項４記載のバーコード情報と拡張ディスプレイ認識データの整合方法において、該バーコード情報は、製品の製造日を表示するための日付コードを包含し、該日付コードは該バーコード規則によりそのビット数が設定され、並びに該日付コードの内容が指定された保存空間に保存されることを特徴とする、バーコード情報と拡張ディスプレイ認識データの整合方法としている。
請求項１２の発明は、請求項４記載のバーコード情報と拡張ディスプレイ認識データの整合方法において、該バーコード情報は、製品の製造週数を表示するための週コードを包含し、該週コードは該バーコード規則によりそのビット数が設定され、並びに該週コードの内容が指定された保存空間に保存されることを特徴とする、バーコード情報と拡張ディスプレイ認識データの整合方法としている。
請求項１３の発明は、請求項４記載のバーコード情報と拡張ディスプレイ認識データの整合方法において、該バーコード情報は、製品の製造月を表示するための月コードを包含し、該月コードは該バーコード規則によりそのビット数が設定され、並びに該月コードの内容が指定された保存空間に保存されることを特徴とする、バーコード情報と拡張ディスプレイ認識データの整合方法としている。
請求項１４の発明は、請求項４記載のバーコード情報と拡張ディスプレイ認識データの整合方法において、該バーコード情報は、製品の製造年を表示するための年コードを包含し、該年コードは該バーコード規則によりそのビット数が設定され、並びに該年コードの内容が指定された保存空間に保存されることを特徴とする、バーコード情報と拡張ディスプレイ認識データの整合方法としている。
請求項１５の発明は、請求項４記載のバーコード情報と拡張ディスプレイ認識データの整合方法において、該バーコード情報は、特定状況処理用のガンマコードを包含し、該ガンマコードは該バーコード規則によりそのビット数が設定され、並びに該ガンマコードの内容が指定された保存空間に保存されることを特徴とする、バーコード情報と拡張ディスプレイ認識データの整合方法としている。
請求項１６の発明は、請求項４記載のバーコード情報と拡張ディスプレイ認識データの整合方法において、該バーコード情報は、無効コードを包含し、該無効コードはバイト数の制限を受けず、直接それが省略されていかなる処理も行われないことを表示することを特徴とする、バーコード情報と拡張ディスプレイ認識データの整合方法としている。
請求項１７の発明は、請求項４記載のバーコード情報と拡張ディスプレイ認識データの整合方法において、該第１保存装置中に前述の各コードを保存した後に、０ＡH 、０ＤH を充填するか或いはブランクビットによりデータ終了を表示することを特徴とする、バーコード情報と拡張ディスプレイ認識データの整合方法としている。
請求項１８の発明は、請求項３記載のバーコード情報と拡張ディスプレイ認識データの整合方法において、（Ｄ）のステップの特定コードは該タイトルコード或いは該ヘッドコードであることを特徴とする、バーコード情報と拡張ディスプレイ認識データの整合方法としている。
請求項１９の発明は、請求項１記載のバーコード情報と拡張ディスプレイ認識データの整合方法において、該第１保存装置がＲＡＭとされたことを特徴とする、バーコード情報と拡張ディスプレイ認識データの整合方法としている。
請求項２０の発明は、請求項１記載のバーコード情報と拡張ディスプレイ認識データの整合方法において、該第２保存装置がＲＯＭとされたことを特徴とする、バーコード情報と拡張ディスプレイ認識データの整合方法としている。
請求項２１の発明は、請求項１記載のバーコード情報と拡張ディスプレイ認識データの整合方法において、該ＥＤＩＤ記録器が入力装置に接続されて該バーコード情報が入力されることを特徴とする、バーコード情報と拡張ディスプレイ認識データの整合方法としている。
【発明の効果】
【０００８】
本発明のバーコード情報と拡張ディスプレイ認識データの整合方法により、ディスプレイ上のバーコード情報とＥＤＩＤを整合させて該ディスプレイ中に記録できる。異なる型番ノディスプレイ或いは異なるバッチ番号のディスプレイに対して、メーカーの作業員は、いくつものＥＤＩＤを準備する必要がなく、ゆえに作業の複雑度を軽減でき、また、不当なＥＤＩＤがディスプレイに記録されるのを防止できる。
【発明を実施するための最良の形態】
【０００９】
上述の問題を解決するため、本発明は一種のバーコード情報と拡張ディスプレイ認識データ（ＥＤＩＤ）の整合方法を提供する。それはＥＤＩＤ記録器においてバーコード情報とＥＤＩＤを整合させるのに応用される。該ＥＤＩＤ記録器は第１保存装置と第２保存装置を具え、該第１保存装置は複数の指定保存空間を具えて対応するコードを保存する。本発明の方法は、（Ａ）バーコード情報を入力し並びに該バーコード情報を該ＥＤＩＤ記録器の該第１保存装置に暫時保存するステップ、（Ｂ）該第２保存装置中より予め保存されたバーコード規則であって、バーコード情報が包含する複数のコードの関係データを画定する上記バーコード規則と検査コードを読み取るステップ、（Ｃ）該バーコード情報が包含する複数のコードをバーコード規則によりそれぞれ第１保存装置中の対応する保存空間に保存するステップ、（Ｄ）該バーコード情報の特定コードが該検査コードに符合するかを判断するステップ、（Ｅ）該バーコード情報の特定コードが該検査コードに符合する時、ＥＤＩＤ記録器に予め保存されたＥＤＩＤを読み取り、並びに該ＥＤＩＤとバーコード情報の複数のコードを整合させ、新ＥＤＩＤを生成するステップ、（Ｆ）該新ＥＤＩＤをディスプレイに記録するステップ、を包含する。
【実施例１】
【００１０】
図２は本発明のＥＤＩＤ記録器２００の表示図である。図２から分かるように、本発明のＥＤＩＤ記録器２００は、第１保存装置２１０、第２保存装置２２０、入力装置インタフェース２３０、マイクロコントローラ２４０、ＥＤＩＤ管理サーバー接続インタフェース２５０及び複数のビデオインタフェース２６０を包含する。
【００１１】
該ＥＤＩＤ記録器２００は入力装置インタフェース２３０により入力装置２７０に接続され、ディスプレイ２８０に対して記録作業を行う。そのうち、ディスプレイ２８０は独立したバーコード情報２８１を具備している必要がある。図３は本発明の該バーコード情報２８１の表示図である。入力装置２７０がそのバーコード情報を走査した後に記録作業を開始できる。
【００１２】
図４は本発明のバーコード情報と拡張ディスプレイ認識データの整合方法のフローチャートである。図５の第１保存装置のメモリ内容の表示図も参照されたい。それに示されるように、ＥＤＩＤ記録器２００上で、バーコード情報２８１とＥＤＩＤが整合されている。該第１保存装置２１０はＲＡＭとされる。該第２保存装置２２０はＲＯＭとされる。該第１保存装置２１０は複数の指定された保存空間を具備して対応するコードを保存する。
【００１３】
まず、ステップＳ４１０において、該入力装置２７０を使用して該バーコード情報を入力し、並びに該バーコード情報を該ＥＤＩＤ記録器の該第１保存装置２１０中に保存する。そのうち、該第１保存装置は指定された保存空間５１０を具備して、入力された該バーコード情報を保存する。
【００１４】
該バーコード情報は以下のコードが組み合わされてなる。則ち、タイトル（ｔｉｔｌｅ）コードｔ、ヘッド（ｈｅａｄ）コードｈ、シリアルナンバーコードｓ、固定シリアルナンバーコードｆ、日付コードｄ、週（ｗｅｅｋ）コードｗ、月（ｍｏｎｔｈ）コードｍ、年代（ｙｅａｒ）コードｙ、ガンマ（Ｇａｍｍａ）コードｇ、及び無効（Ｎｕｌｌ）コードｘ。
【００１５】
該タイトルコードｔは最多で７バイトとされるのがよく、該第１保存装置２１０中でタイトルコードを保存するための保存空間は７バイトより大きく、該タイトルコードはバーコード規則によりそのバイト数が設定され、並びにタイトルコードの内容は指定された保存空間５２０に保存される。該ヘッドコードｈは最多で５バイトが好ましく、該第１保存装置２１０中のヘッドコード保存するための保存空間は５バイトより大きく、該ヘッドコードはバーコード規則によりそのバイト数が設定され、並びにヘッドコードの内容は指定された保存空間５５０に保存される。この二組のコードは個別に検査コードと符合するかを検証するのに使用可能であり、或いはこのヘッドコードは選択的にタイトルコードと整合され、個別に検査コードと符合するかが検証される。
【００１６】
該シリアルナンバーコードｓは最多で２０バイトとされるのがよく、該第１保存装置２１０中でシリアルナンバーコードを保存するための保存空間は２０バイトより大きく、該シリアルナンバーコードはバーコード規則によりそのバイト数が設定され、並びにシリアルナンバーコードの内容は指定された保存空間５６０に保存される。該固定シリアルナンバーコードｆは最多で１バイトとされるのがよく、該第１保存装置２１０中で固定シリアルナンバーコードを保存するための保存空間は１バイトより大きく、該固定シリアルナンバーコードはバーコード規則によりそのバイト数が設定され、並びに固定シリアルナンバーコードの内容は指定された保存空間（図示せず）に保存される。シリアルナンバーコードと固定シリアルナンバーコードはそれぞれ製品の製造シリアルナンバーを表示するのに用いられるか、或いは該固定シリアルナンバーコードはシリアルナンバーコードと組み合わされた後に該製品の製造シリアルナンバーを表示する。
【００１７】
該日付コードｄは最多で２バイトとされるのがよく、該第１保存装置２１０中で該日付コードを保存するための保存空間は２バイトより大きく、該日付コードはバーコード規則によりそのバイト数が設定され、並びに日付コードの内容は指定された保存空間（図示せず）に保存される。該週コードｗは最多で２バイトとされるのがよく、該第１保存装置２１０中で該週コードを保存するための保存空間は２バイトより大きく、該週コードはバーコード規則によりそのバイト数が設定され、並びに週コードの内容は指定された保存空間５４０に保存される。該月（ｍｏｎｔｈ）コードｍは最多で１バイトとされるのがよく、該第１保存装置２１０中で該月コードを保存するための保存空間は１バイトより大きく、該月コードはバーコード規則によりそのバイト数が設定され、並びに月コードの内容は指定された保存空間（図示せず）に保存される。該年代（ｙｅａｒ）コードｙは最多で２バイトとされるのがよく、該第１保存装置２１０中で該年代コードを保存するための保存空間は２バイトより大きく、該年代コードはバーコード規則によりそのバイト数が設定され、並びに年コードの内容は指定された保存空間５３０に保存される。この日付コード、週コード、月コード、年代コードは製品の製造年月日を表示するのに用いられる。
【００１８】
該ガンマコードｇは最多で１バイトとされるのがよく、該第１保存装置２１０中で該ガンマコードを保存するための保存空間は１バイトより大きく、該ガンマコードはバーコード規則によりそのバイト数が設定され、並びに年コードの内容は指定された保存空間（図示せず）に保存される。該無効コードｘはバイト数の制限をうけず、システムが直接それを省略して処理を行わない。この二組のコードは特定状況の処理に用いられるコードである。
【００１９】
本実施例中、入力される該バーコード情報はＴＷＴ７２６Ａ２００１０２とされ且つ該第１保存装置２１０中の指定された保存空間５１０部分に放置される。図５は第１保存装置２１０メモリ内容の表示図である。
【００２０】
ステップＳ４２０において、該第２保存装置２２０中より予め保存されたバーコード規則と予め保存された検査コードを読み取る。このバーコード規則は該バーコード情報が包含する複数のコードの関係データを画定する。該バーコード規則はバーコード情報の包含するコードの種類、コードのビット数及びコードの位置を画定する。本実施例では、該バーコード規則はｔｔｔｙｗｗｈｈｓｓｓｓｓとされ、該検査コードはＴＷＴ及びＡ２とされる。
【００２１】
ステップＳ４３０において、該バーコード情報が包含する複数のコードを該バーコード規則によりそれぞれ該第１保存装置２１０中の指定された保存空間に保存する。図５に示されるように、該第１保存装置２１０中には該バーコード情報が包含する複数のコードに対応する保存空間５１０〜５６０がある。
【００２２】
該バーコード規則はｔｔｔｙｗｗｈｈｓｓｓｓｓとされ、そのうち、ｔｔｔはこのバーコード情報の包含する第１から３バイトがタイトルコードとされることを代表し、ゆえに該第１保存装置２１０中の第１保存空間５１０部分の１から３バイトを第１保存装置２１０中の該タイトルコードに対応する保存空間５２０部分に複写（ｃｏｐｙ）し、並びにデータＴＷＴの後に、０ＡH 、０ＤH を充填し、データ終了を表示する。
【００２３】
該バーコード規則はｔｔｔｙｗｗｈｈｓｓｓｓｓとされ、そのうちｙは該バーコード情報の包含する第４バイトが年代コードとされることを代表し、ゆえに該第１保存装置２１０中の第１保存空間５１０部分の第４バイトを第１保存装置２１０中の該年代コードに対応する保存空間５３０部分に複写（ｃｏｐｙ）し、並びにデータ７の後に、０ＡH 、０ＤH を充填し、データ終了を表示する。
【００２４】
該バーコード規則はｔｔｔｙｗｗｈｈｓｓｓｓｓとされ、そのうちｗｗは該バーコード情報の包含する第５から６バイトが週コードとされることを代表し、ゆえに該第１保存装置２１０中の第１保存空間５１０部分の第５から６バイトを第１保存装置２１０中の該週コードに対応する保存空間５４０部分に複写（ｃｏｐｙ）し、並びにデータ２６の後に、０ＡH 、０ＤH を充填し、データ終了を表示する。
【００２５】
該バーコード規則はｔｔｔｙｗｗｈｈｓｓｓｓｓとされ、そのうちｈｈは該バーコード情報の包含する第７から８バイトがヘッドコードとされることを代表し、ゆえに該第１保存装置２１０中の第１保存空間５１０部分の第７から８バイトを第１保存装置２１０中の該ヘッドコードに対応する保存空間５５０部分に複写（ｃｏｐｙ）し、並びにデータＡ２の後に、０ＡH 、０ＤH を充填し、データ終了を表示する。
【００２６】
該バーコード規則はｔｔｔｙｗｗｈｈｓｓｓｓｓとされ、そのうちｓｓｓｓｓは該バーコード情報の包含する第９から１３バイトがシリアルナンバーコードとされることを代表し、ゆえに該第１保存装置２１０中の第１保存空間５１０部分の第９から１３バイトを第１保存装置２１０中の該シリアルナンバーコードに対応する保存空間５６０部分に複写（ｃｏｐｙ）し、並びにデータ００１０２の後に、０ＡH 、０ＤH を充填し、データ終了を表示する。
【００２７】
その他のコードに対しても上述のようであり、説明は省略する。
ステップＳ４４０において、該バーコード情報の特定コードが該検査コードに符合するかを判断する。本実施例では該特定コードは該タイトルコード及び該ヘッドコードである。すなわち、それぞれ該バーコード情報中のタイトルコード及び該ヘッドコードが予め保存された該検査コードと比較される。該バーコード情報中のタイトルコードはＴＷＴであり、ヘッドコードはＡ２、保存された該検査コードはそれぞれＴＷＴとＡ２であり、ゆえに該バーコード情報の特定コードと該検査コードは符合する。
【００２８】
該バーコード情報の特定コードと該検査コードが符合すると判定された時、該ＥＤＩＤ記録器２００に予め保存されたＥＤＩＤ（図示せず）を読み出し、並びに該ＥＤＩＤと該バーコード情報の複数のコードを整合させて、新ＥＤＩＤを生成する（ステップＳ４５０）。
【００２９】
ステップＳ４６０において、該新ＥＤＩＤをディスプレイに対して記録し、記録完成時に指示メッセージを生成する。
【００３０】
ステップＳ４４０で該バーコード情報の特定コードと該検査コードが符合しないと判定された時、アラームメッセージを生成する（ステップＳ４７０）。
【００３１】
以上の説明から分かるように、本発明のバーコード情報と拡張ディスプレイ認識データの整合方法により、ディスプレイ上のバーコード情報とＥＤＩＤを整合させて該ディスプレイ中に記録できる。異なる型番ノディスプレイ或いは異なるバッチ番号のディスプレイに対して、メーカーの作業員は、いくつものＥＤＩＤを準備する必要がなく、ゆえに作業の複雑度を軽減でき、また、不当なＥＤＩＤがディスプレイに記録されるのを防止できる。
【００３２】
上述の実施例は本発明の説明のために例示されたものであって、本発明の実施範囲を限定するものではなく、本発明に基づきなしうる細部の修飾或いは変更は、いずれも本発明の請求範囲に属するものとする。
【図面の簡単な説明】
【００３３】
【図１】周知のＥＤＩＤ記録システムの表示図である。
【図２】本発明の好ましい実施例のシステム表示図である。
【図３】本発明中、あるバーコード情報の表示図である。
【図４】本発明のバーコード情報と拡張ディスプレイ認識データの整合方法のフローチャートである。
【図５】本発明中、第１保存装置のメモリ内容の表示図である。
【符号の説明】
【００３４】
１００  コンピュータ構造            １１０  コンピュータ
１１１  フレキシブルディスク        １１２  ハードディスク
１１３  ＵＳＢディスク              １２０  インタフェースアダプタ
１３０  ディスプレイ                １３１  ＶＧＡビデオインタフェース
１３２  ＤＶＩビデオインタフェース  １３３  ＨＤＭＩビデオインタフェース
２００  ＥＤＩＤ記録器              ２１０  第１保存装置
２２０  第２保存装置                ２３０  入力装置インタフェース
２４０  マイクロコントローラ
２５０  ＥＤＩＤ管理サーバー接続インタフェース
２６０  ビデオインタフェース        ２７０  入力装置
２８０  ディスプレイ                ２８１  バーコード情報
Ｓ４１０〜Ｓ４７０  ステップ        ５１０〜５６０  保存空間
【図１】
2008304882.tif 000003
【図２】
2008304882.tif 000004
【図３】
2008304882.tif 000005
【図４】
2008304882.tif 000006
【図５】
2008304882.tif 000007